【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
印刷システムであって、
印刷媒体上に複数のドットを形成して画像を印刷する印刷装置と、
前記複数のドットのオン／オフを指定するドットデータを生成する画像処理装置と、
を備え、
前記印刷装置は、
（ｉ）主走査方向の印刷解像度と副走査方向の印刷解像度との比が互いに異なる複数の印刷モードで印刷可能であり、
（ｉｉ）前記複数の印刷モードのうち印刷ムラが発生する印刷モードを示す印刷ムラ発生モード情報と、前記印刷ムラの発生を抑制するために使用すべきハーフトーン処理用パラメータを示すムラ抑制パラメータ情報と、を互いに対応付けて格納する格納部を有し、
前記画像処理装置は、
前記複数の印刷モードの中から使用する印刷モードを設定する印刷モード設定部と、
ハーフトーン処理用パラメータを用いて前記ドットデータを生成するドットデータ生成部と、
前記設定された印刷モードに応じて、前記ドットデータを生成する際に用いる使用ハーフトーン処理用パラメータを設定するハーフトーン処理用パラメータ設定部と、
を有し、
前記ハーフトーン処理用パラメータ設定部は、前記設定された印刷モードに対応した前記ムラ抑制パラメータ情報が前記格納部に格納されているか否かを判定し、
（ｉ）前記設定された印刷モードに対応する前記ムラ抑制パラメータ情報が前記格納部に格納されていると判定した場合には、前記ムラ抑制パラメータ情報の示すハーフトーン処理用パラメータを、前記使用ハーフトーン処理用パラメータとして設定し、
（ｉｉ）前記設定された印刷モードに対応する前記ムラ抑制パラメータ情報が前記格納部に格納されていないと判定した場合には、前記設定された印刷モードに応じた所定のハーフトーン処理用パラメータを、前記使用ハーフトーン処理用パラメータとして設定する、印刷システム。
【請求項２】
請求項１に記載の印刷システムにおいて、
前記ハーフトーン処理用パラメータは、組織的ディザ法におけるディザマスクまたは濃度パターン法における閾値マトリクスであることを特徴とする印刷システム。
【請求項３】
印刷媒体上に複数のドットを形成して画像を印刷する印刷装置と、前記複数のドットのオン／オフを指定するドットデータを生成する画像処理装置と、を備える印刷システムにおいて、前記ドットデータを生成するためのドットデータ生成方法であって、
前記印刷装置は、主走査方向の印刷解像度と副走査方向の印刷解像度との比が互いに異なる複数の印刷モードで印刷可能であり
（ａ）前記印刷装置において、前記複数の印刷モードのうち印刷ムラが発生する印刷モードを示す印刷ムラ発生モード情報と、前記印刷ムラの発生を抑制するために使用すべきハーフトーン処理用パラメータを示すムラ抑制パラメータ情報と、を互いに対応付けて格納する工程と、
（ｂ）前記画像処理装置において、前記複数の印刷モードの中から使用する印刷モードを設定する工程と、
（ｃ）前記画像処理装置において、前記設定された印刷モードに対応する前記ムラ抑制パラメータ情報が前記印刷装置に格納されているか否かを判定し、
前記設定された印刷モードに対応する前記ムラ抑制パラメータ情報が前記印刷装置に格納されていると判定した場合には、前記ムラ抑制パラメータ情報の示すハーフトーン処理用パラメータを、前記ドットデータを生成する際に用いる使用ハーフトーン処理用パラメータとして設定し、
前記設定された印刷モードに対応する前記ムラ抑制パラメータ情報が前記印刷装置に格納されていないと判定した場合には、前記設定された印刷モードに応じた所定のハーフトーン処理用パラメータを、前記使用ハーフトーン処理用パラメータとして設定する工程と、
を備えるドットデータ生成方法。
【請求項４】
印刷媒体上に複数のドットを形成して画像を印刷する印刷装置に対して前記ドットのオン／オフを指定するドットデータを供給するコンピュータにおいて、前記ドットデータを生成するためのコンピュータプログラムであって、
前記印刷装置は、主走査方向の印刷解像度と副走査方向の印刷解像度との比が互いに異なる複数の印刷モードで印刷可能であり、前記複数の印刷モードのうち印刷ムラが発生する印刷モードを示す印刷ムラ発生モード情報と、前記印刷ムラの発生を抑制するために使用すべきハーフトーン処理用パラメータを示すムラ抑制パラメータ情報と、を互いに対応付けて格納し、
（ａ）前記複数の印刷モードの中から使用する印刷モードを設定する機能と、
（ｂ）前記設定された印刷モードに対応する前記ムラ抑制パラメータ情報が前記印刷装置に格納されているか否かを判定し、
前記設定された印刷モードに対応する前記ムラ抑制パラメータ情報が前記印刷装置に格納されていると判定した場合には、前記ムラ抑制パラメータ情報の示すハーフトーン処理用パラメータを、前記ドットデータを生成する際に用いる使用ハーフトーン処理用パラメータとして設定し、
前記設定された印刷モードに対応する前記ムラ抑制パラメータ情報が前記印刷装置に格納されていないと判定した場合には、前記設定された印刷モードに応じた所定のハーフトーン処理用パラメータを、前記使用ハーフトーン処理用パラメータとして設定する機能と、
を前記コンピュータに実現させるためのプログラム。
【請求項５】
請求項４に記載のコンピュータプログラムを記録したコンピュータ読み取り可能な記録媒体。
【手続補正２】
【補正対象書類名】明細書
【補正対象項目名】発明の名称
【補正方法】変更
【補正の内容】
【発明の名称】印刷システム及びドットデータ生成方法
【手続補正３】
【補正対象書類名】明細書
【補正対象項目名】００１３
【補正方法】変更
【補正の内容】
【００１３】
前述の課題の少なくとも一部を解決するために、本発明の印刷システムは、印刷媒体上に複数のドットを形成して画像を印刷する印刷装置と、前記複数のドットのオン／オフを指定するドットデータを生成する画像処理装置と、を備え、前記印刷装置は、（ｉ）主走査方向の印刷解像度と副走査方向の印刷解像度との比が互いに異なる複数の印刷モードで印刷可能であり、（ｉｉ）前記複数の印刷モードのうち印刷ムラが発生する印刷モードを示す印刷ムラ発生モード情報と、前記印刷ムラの発生を抑制するために使用すべきハーフトーン処理用パラメータを示すムラ抑制パラメータ情報と、を互いに対応付けて格納する格納部を有し、前記画像処理装置は、前記複数の印刷モードの中から使用する印刷モードを設定する印刷モード設定部と、ハーフトーン処理用パラメータを用いて前記ドットデータを生成するドットデータ生成部と、前記設定された印刷モードに応じて、前記ドットデータを生成する際に用いる使用ハーフトーン処理用パラメータを設定するハーフトーン処理用パラメータ設定部と、を有し、前記ハーフトーン処理用パラメータ設定部は、前記設定された印刷モードに対応した前記ムラ抑制パラメータ情報が前記格納部に格納されているか否かを判定し、（ｉ）前記設定された印刷モードに対応する前記ムラ抑制パラメータ情報が前記格納部に格納されていると判定した場合には、前記ムラ抑制パラメータ情報の示すハーフトーン処理用パラメータを、前記使用ハーフトーン処理用パラメータとして設定し、（ｉｉ）前記設定された印刷モードに対応する前記ムラ抑制パラメータ情報が前記格納部に格納されていないと判定した場合には、前記設定された印刷モードに応じた所定のハーフトーン処理用パラメータを、前記使用ハーフトーン処理用パラメータとして設定することを要旨とする。
【手続補正４】
【補正対象書類名】明細書
【補正対象項目名】００１４
【補正方法】変更
【補正の内容】
【００１４】
本発明の印刷システムでは、設定された印刷モードに対応したムラ抑制パラメータ情報が印刷装置の格納部に格納されている場合には、そのムラ抑制パラメータ情報の示すハーフトーン処理用パラメータを使用ハーフトーン処理用パラメータとして設定するところ、当該ハーフトーン処理用パラメータはムラの発生を抑制するために使用すべきハーフトーン処理用パラメータであるので、このようにして生成されたドットデータに基づき印刷することで、印刷ムラの発生を抑制することができる。
【手続補正５】
【補正対象書類名】明細書
【補正対象項目名】００１５
【補正方法】変更
【補正の内容】
【００１５】
また、このように構成することで、印刷装置は、一般的な印刷装置の構成とほぼ同じ構成となり、印刷装置の大幅なコストアップを抑えることができる。
【手続補正６】
【補正対象書類名】明細書
【補正対象項目名】００１６
【補正方法】変更
【補正の内容】
【００１６】
また、画像処理装置においても、ハーフトーン処理用パラメータを用いてハーフトーン処理を施すので、ハーフトーン処理を行う一般的な画像処理装置とほぼ同じ構成となり、画像処理装置の大幅なコストアップを抑えることができる。
【手続補正７】
【補正対象書類名】明細書
【補正対象項目名】００１７
【補正方法】変更
【補正の内容】
【００１７】
上記印刷システムにおいて、前記ハーフトーン処理用パラメータは、組織的ディザ法におけるディザマスクまたは濃度パターン法における閾値マトリクスであることが好ましい。
【手続補正８】
【補正対象書類名】明細書
【補正対象項目名】００１８
【補正方法】変更
【補正の内容】
【００１８】
これらのパラメータは、印刷モードに応じて異なる値が設定されている。そこで、印刷ムラが発生する印刷モードにおいて、その印刷モードに応じた所定のパラメータを使用パラメータとして用いずに、印刷ムラの発生を抑制するために使用すべきパラメータを用いることで、所定のパラメータを用いた場合とはドットの間隔が異なるドットデータを生成することが可能となる。
【手続補正９】
【補正対象書類名】明細書
【補正対象項目名】００１９
【補正方法】変更
【補正の内容】
【００１９】
従って、例えば、所定のパラメータを用いるとドット間隔が比較的狭くなり、比較的濃く印刷されてしまう部分においてドット間隔を広げることができ、印刷ムラの発生を抑制することができる。
【手続補正１０】
【補正対象書類名】明細書
【補正対象項目名】００２０
【補正方法】変更
【補正の内容】
【００２０】
また、例えば、所定のパラメータを用いるとドット間隔が比較的広くなり、比較的薄く印刷されてしまう部分においてドット間隔を狭くすることができ、印刷ムラの発生を抑制することができる。
【手続補正１１】
【補正対象書類名】明細書
【補正対象項目名】００２１
【補正方法】変更
【補正の内容】
【００２１】
なお、本発明は、上述した装置発明の態様に限ることなく、ドットデータ生成方法などの方法発明としての態様で実現することも可能である。
【手続補正１２】
【補正対象書類名】明細書
【補正対象項目名】００２２
【補正方法】変更
【補正の内容】
【００２２】
さらには、それら方法や装置を構成するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【手続補正１３】
【補正対象書類名】明細書
【補正対象項目名】００２３
【補正方法】変更
【補正の内容】
【００２３】
本発明をコンピュータプログラムまたはそのプログラムを記録した記録媒体等として構成する場合には、画像処理装置を制御するプログラム全体として構成するものとしてもよいし、本発明の機能を果たす部分のみを構成するものとしてもよい。
【手続補正１４】
【補正対象書類名】明細書
【補正対象項目名】００２４
【補正方法】変更
【補正の内容】
【００２４】
また、記録媒体としては、ＲＯＭカートリッジ、パンチカード、バーコードなどの符合が印刷された印刷物、コンピュータの内部記憶装置（ＲＡＭやＲＯＭなどのメモリ）および外部記憶装置などコンピュータが読み取り可能な種々の媒体を利用できる。